(57)【要約】【課題】ゴムガスケットの使用できない温度領域で繰り返し使用ができ、フランジを痛めるおそれがなく、かつフランジ間距離の変化に追随できるガスケットを提供する。【解決手段】ガスケットは、中央部位に流体の流通口部１を有し、流通口部の外周部位が弧状曲面をもって盛り上る形状のシール面２に形成された２個の金属製皿形バネＡ１，Ａ１が逆向きに組み合わされ、その外径周縁部３を溶接で固定した構成とする。【効果】フランジの締め付けにより、２個の皿形バネＡ１，Ａ１の反発力が弧状曲面からなるシール面２に集中的に作用し、フランジ面との間に緊密な流体シールが形成される。【選択図】　図１
2004060842.tif 000002
【特許請求の範囲】
【請求項１】
中央部位に流体の流通口部を有し、前記流通口部の外周部位が弧状曲面をもって盛り上るシール面に形成された２個の金属製皿形バネが逆向きに組み合わされ、その外径周縁部で溶接固定されていることを特徴とするガスケット。
【請求項２】
中央平坦部位に流体の流通口部を有し、外径周縁部が弧状曲面をもって反り返るシール面に形成された２個の金属製皿形バネが、前記流通口部を有する平坦面部で逆向きに組み合わされ、溶接固定されていることを特徴とするガスケット。
【請求項３】
中央部位に流体の流通口部を有し、前記流通口部の外周部位が弧状曲面をもって盛り上るシール面に形成されてなる金属製の第１皿形バネと、中央平坦部位に流体の流通口部を有してなる金属製の第２皿形バネと、中央平坦部位に流体の流通口部を有し、外径周縁部が弧状曲面をもって反り返るシール面に形成された金属製の第３皿形バネとから成り、第１皿形バネに第２皿形バネが逆向きに組み合わされ、その外径周縁部で溶接固定され、第２皿形バネに第３皿形バネが逆向きに組み合わされ、中央平坦部位で溶接固定されていることを特徴とするガスケット。
【発明の詳細な説明】
【０００１】
【発明の属する技術分野】
本発明は、半導体製造装置や原子力装置などで使われる真空機器において、流体の漏れを防止するのに好適な金属ガスケットの改良に関する。
【０００２】
【従来の技術】
従来、配管、バルブの接続部や真空チャンバーの蓋、あるいは半導体製造用の反応容器等のシール材として、ゴムガスケットが一般的に使用されている。
また、ゴムガスケットが使用できないような高温（２００℃以上）やゴムを腐食させる流体と接する部分には、例えば、金属中空Ｏリング、バネ入り金属Ｃリング、ナイフエッジ形金属ガスケットのような金属ガスケットが使用されている。
【０００３】
【発明が解決しようとする課題】
上記に挙げた金属ガスケットは、必ずしも下記の使用条件に対応できるものではない。
（ａ）フランジ間距離が使用中に変化する場合、例えばフランジ間距離が熱膨張や付加圧力、振動等により変化する場合その変化に追従できず、シール不能となる。
（ｂ）反応容器の蓋やゲートバルブのように開閉を繰り返す部分をシールする場合、例えば金属中空Ｏリングでは一度使用するとつぶれてしまい、繰り返し使用できない。
（ｃ）従来の金属ガスケットでは、構造的にフランジを厚くしたり、ボルトを太くしたり、ボルトの数を増やしたりして締め付け荷重を高くできない。
（ｄ）フランジ部の材質がアルミ等のように軟質で、締め付け荷重を高くするとフランジ部に傷が付いてしまうおそれがある。
（ｅ）バネ入り金属Ｃリングは弾性復元量が大きく、繰り返し使用ができ、フランジ間の距離の変化にもある程度追従できるが、高価である。
【０００４】
本発明は、従来の金属ガスケットの不具合を解消するためになされたもので、ゴムガスケットの使用できない温度領域で繰り返し使用ができ、またフランジ面に傷を付けたりするおそれがなく、かつフランジ間距離の変化に追随することができ、しかも安価に製作できる金属ガスケットを提供することを目的とする。
【０００５】
【課題を解決するための手段】
上記目的を達成するため、請求項１の発明によるガスケットは、中央部位に流体の流通口部を有し、前記流通口部の外周部位が弧状曲面をもって盛り上るシール面に形成された２個の金属製皿形バネが逆向きに組み合わされ、その外径周縁部で溶接固定されていることを要旨とする。
【０００６】
請求項２の発明によるガスケットは、中央平坦部位に流体の流通口部を有し、外径周縁部が弧状曲面をもって反り返るシール面に形成された２個の金属製皿形バネが、前記流通口部を有する平坦面部で逆向きに組み合わされ、溶接固定されていることを要旨とする。
【０００７】
請求項２の発明によるガスケットは、中央部位に流体の流通口部を有し、前記流通口部の外周部位が弧状曲面をもって盛り上るシール面に形成されてなる金属製の第１皿形バネと、中央平坦部位に流体の流通口部を有してなる金属製の第２皿形バネと、中央平坦部位に流体の流通口部を有し、外径周縁部が弧状曲面をもって反り返るシール面に形成された金属製の第３皿形バネとから成り、第１皿形バネに第２皿形バネが逆向きに組み合わされ、その外径周縁部で溶接固定され、第２皿形バネに第３皿形バネが逆向きに組み合わされ、中央平坦部位で溶接固定されていることを要旨とする。
【０００８】
【発明の実施の形態】
本発明の好ましい実施の形態としては、図１〜図２に示すように、中央部位に流体の流通口部１を有し、前記流通口部１の外周部位が弧状曲面をもって盛り上るシール面２に形成された２個の金属製皿形バネＡ１，Ａ１が逆向きに組み合わされ、その外径周縁部３で溶接固定してガスケットを構成する。
【０００９】
【実施例】
図１〜図４に、本発明によるガスケットの一実施例を示す。
本実施例のガスケットは、形状を同じくする外径３０ｍｍ、厚さ１．５ｍｍとした２個の金属製皿形バネＡ１，Ａ１から成る。
皿形バネＡ１は、インコネル等の耐熱合金、ステンレス、純ニッケル、アルミ、バネ鋼等から任意に選択使用される。
【００１０】
皿形バネＡ１の形状は、中央部位に流体の流通口部１があり、その外周部位は弧状曲面をもって盛り上り、フランジと当接するシール面２とされている。このシール面２はＲ＝０．１〜１０ｍｍとされ、その表面は研磨（バレル研磨、電解研磨、電解複合研磨、バフ研磨等）され、その表面粗さはＲａ０．１μｍ以下とされている。
上記２個の皿形バネＡ１，Ａ１は、その外径周縁部３で逆向きに重ね合わされ、シーム溶接（抵抗溶接、超音波溶接、レーザ溶接、プラズマ溶接等）により固定され、ガスケットを構成している。
【００１１】
図４〜図５に、前記構成のガスケットの使用例を示す。
図中、４，５は対向するフランジであり、一方のフランジ５に前記ガスケットを配設するための溝６があり、フランジ４側の流通路７と、フランジ５側の溝６の中心にある筒状の流通路８が皿形バネＡ１，Ａ１の中心流通口部１の内側で連通する構造とされている。
【００１２】
そこで、ガスケットを配設したフランジ５に対しフランジ４を重ね合わせてボルト９によって締め付けると、図５に示すように、ガスケットを構成している２個の皿形バネＡ１，Ａ１は弾力的に圧縮変形され、シール面２はＲが大きくなってフランジの当り面に弾圧状に当接され、そこに流体シールが形成される。
【００１３】
図６におけるフランジ５の筒状の流通路は、図７に示すように、フランジ４の流通路７と同じ流通路としてもよい。
上記のように２個の皿形バネＡ１，Ａ１を逆向きに重ね合わせ、皿形バネの中心流通口部１の外周部位に、弧状曲面をもって盛り上げたシール面２を形成したガスケットの構造によれば、フランジの締め付けにより、２個の皿形バネの反発力が前記弧状曲面からなるシール面に集中的に作用し、フランジ面との間に緊密な流体シールが形成される。
【００１４】
上記ガスケットの構成においては、図２に示すように、皿形バネＡ１の肉厚ｔ、高さＨ、幅Ｗの各寸法等により、ガスケットの反発力を容易にコントロールできる。なお、皿形バネのＨ／Ｗは０．２〜１．０とするのがよく、１．０以上ではバネ性の付与ができない。
図２に示す構造のガスケットは、ガスケットの外周側の圧力より内周側の圧力が高い場合に有効である。内圧によりガスケットが内側から押し上げられ、フランジとシール面が密着しやすくなる。
【００１５】
図７に、本発明の他の実施例を示す。なお、図１〜図３を同一または類似する部材には同じ符号が付されている。
本実施例のガスケットは、中央平坦部位に流体の流通口部１を有し、外径周縁部が弧状曲面をもって反り返るシール面２ａに形成された２個の金属製皿形バネバネＡ２，Ａ２が前記流通口部１を有する中央平坦部位で逆向きに重ね合わされシーム溶接されたものである。
上記構成のガスケットにあっては、フランジの締め付けにより２個の皿形バネの反発力が前記シール面２ａに集中的に作用し、フランジ面との間に緊密な流体シールが形成される。
図７に示す構造のガスケットは内周側圧力より外周側圧力が高い場合に有効な構造である。
【００１６】
図８に、さらに本発明の他の実施例を示す。なお、図１〜図２および図７と同一または類似する部材には同じ符号が付されている。
本実施例のガスケットは、図１〜図２の皿形バネＡ１の中央平坦部に流体の流通口部１を有する皿形バネＡ３が外径周縁部３で逆向きに重ね合わされてシーム溶接され、さらに図７の皿形バネＡ２が前記皿形バネＡ３の中央平坦部で逆向きに重ね合わされてシール溶接されたものである。
【００１７】
上記構成のガスケットにあっては、皿形バネＡ１の中央部分に形成されたシール面２と、皿形バネＡ３の外径周縁部３に形成されたシール面２ａとにより、フランジ面との緊密な流体シールが形成される。
図８に示す構造のガスケットは、ガスケットを入れる溝の幅と高さの比（高さ／幅）が大きく、皿形バネのＨ／Ｗが０．１以上となってしまうとき、２枚でなく、３枚以上重ね合わせてＨ／Ｗを小さくすることができ、バネ性を付与できる。
【００１８】
【発明の効果】
以上詳述したように、本発明によれば、弧状曲面からなるシール面を有する皿形バネを構成要素とするものであるから、下記条件のすべてに適合し得るガスケットを提供することができる。
（１）ゴムガスケットの使用できない温度領域やゴムを腐食する流体をシールする場合。
（２）繰り返しの使用が行われる場合。
（３）締め付け荷重を高くできない場合（構造的に困難なとき、アルミなどの軟らかい材質を用いるとき）。
（４）フランジ間距離が変化する場合。
（５）バネ入りＣリングよりも安価に得られる。
【図面の簡単な説明】
【図１】本発明の一実施例を示すガスケットの平面図である。
【図２】図１の一部切断側面図である。
【図３】圧縮状態を表すガスケットの一部切断側面図である。
【図４】フランジにガスケットを配置した状態の断面図である。
【図５】フランジの締め付けでガスケットが圧縮された状態の断面図である。
【図６】図５の変形例を示す断面図である。
【図７】本発明の他の実施例を示すガスケットの一部切断側面図である。
【図８】本発明の他の実施例を示すガスケットの一部切断側面図である。
【符号の説明】
Ａ１，Ａ２，Ａ３　金属製皿形バネ
１　流体の流通口部
２，２ａ　弧状曲面によるシール面
３　外径周縁部
４，５　フランジ
６　フランジ内の溝
７　流体の流通路
８　筒状の流通路
９　ボルト
【図１】
2004060842.tif 000003
【図２】
2004060842.tif 000004
【図３】
2004060842.tif 000005
【図４】
2004060842.tif 000006
【図５】
2004060842.tif 000007
【図６】
2004060842.tif 000008
【図７】
2004060842.tif 000009
【図８】
2004060842.tif 000010